(57)【要約】【課題】回り縁への野縁の固着作業を一人の作業員により簡便かつ低コストで行なうことのできる建築用治具および木造建築工法が望まれている。【解決手段】建築用治具１は、野縁１０の上面１０Ｂに載置される板状体２で主に構成されている。釘５を挿通するための通し穴３が板状体２に上下貫通して形成されている。通し穴２の穴径は、釘５が通し穴３の内壁に保持される寸法に設定されている。野縁１０の上面１０Ｂと係合して板状体２を固定する回り止め突起４が、板状体２の下面に垂設されている。板状体２は可撓性を有する合成樹脂で構成されている。建築用治具１を用いた木造建築工法は、板状体配置工程Ｐ１、板状体固着工程Ｐ２、板状体載置工程Ｐ３、野縁第１固着工程Ｐ４、および野縁第２固着工程Ｐ５を備えている。【選択図】図４
2016223090.tif 000002
【特許請求の範囲】
【請求項１】
野縁の上面に固着される板状体で主に構成され、
第１結合用固着具を挿通するための通し穴が、前記板状体に上下貫通して形成されていることを特徴とする建築用治具。
【請求項２】
前記通し穴の穴径は、前記第１結合用固着具が挿通自在に前記通し穴の内壁に保持される寸法に設定されている請求項１に記載の建築用治具。
【請求項３】
野縁の上面と係合して前記板状体を固定する回り止め突起が、前記板状体の下面に垂設されている請求項１または請求項２に記載の建築用治具。
【請求項４】
前記板状体が、可撓性を有する合成樹脂で構成されている請求項１から請求項３のいずれか一項に記載の建築用治具。
【請求項５】
互いに並行に離間して横設された１対の回り縁間に野縁を架け渡して固定する木造建築工法であって、
請求項１から請求項４のいずれか一項に記載の建築用治具における板状体の先端部が野縁の一方の木口から突出し、且つ、板状体の通し穴が前記一方の木口側の上面に置かれるように、前記板状体が配置される板状体配置工程と、
前記野縁の上面に置かれた板状体の通し穴に挿通された第１結合用固着具により、前記板状体が前記野縁の上面に固着される板状体固着工程と、
前記野縁の上面に固着された板状体の先端部が一方の回り縁の上面に置かれる板状体載置工程と、
前記板状体を置かれた野縁の他方の木口が第２結合用固着具により他方の回り縁の内側面に固着される野縁第１固着工程と、
他方の木口が他方の回り縁に固着された野縁の一方の木口が第２結合用固着具により一方の回り縁の内側面に固着される野縁第２固着工程と、
を備えて成ることを特徴とする木造建築工法。
【発明の詳細な説明】
【技術分野】
【０００１】
本発明は、１対の回り縁間に野縁が架け渡されて固定される木造構造に好適に用いられる建築用治具およびこれを用いた木造建築工法に関するものである。
【背景技術】
【０００２】
従来一般の木造構造を図７に示す。図示の木造構造５０は、例えば木造住宅の天井構造を示している。この木造構造５０は、矩形枠状に形成された回り縁１１，１２，１３に複数の野縁１０，１０，１０，・・・が取り付けられている。各々の野縁１０は、互いに並行に離間する１対の回り縁１１，１２間に架け渡される。野縁１０は、一方の木口１０Ａ１が回り縁１１の内側面１１Ａにビス６で固着され、他方の木口１０Ａ２が回り縁１２の内側面１２Ａにビス６で固着されることにより懸架、保持される。このようにして出来上がった木造構造５０の下面に、天井板１８，１８，１８，・・・が貼り付けられる。前記の木造構造５０において、野縁１０は長さが例えば３６００ｍｍ程度であり、床から３ｍ程度の高さで扱われるので脚立などが用いられ、作業員は回り縁１１側を一人が担当し、回り縁１２側を別の一人が担当する。
このような木造構造は、例えば下記の特許文献１に開示されている。
【先行技術文献】
【特許文献】
【０００３】
【特許文献１】特開平６−１９３１９２号公報
【発明の概要】
【発明が解決しようとする課題】
【０００４】
ところで、前記した従来の木造構造５０では、一方の回り縁１１側に配置された作業員が野縁１０の一方の木口１０Ａ１を持ち、回り縁１２側に配置された別の作業員が他方の木口１０Ａ２を持って、それぞれにビス止め作業を行なっていた。そして、野縁１０を持ち上げる際に二人の作業員は息を合わせる必要があり、息が合わなければ事故につながるおそれがあるので、作業は慎重を期さざるを得ない。また、回り縁１１の内側面１１Ａと回り縁１２の内側面１２Ａに対し、野縁１０の両木口１０Ａ１，１０Ａ２を同時にビス止めしようとすると、固着規定位置からずれて固着されるおそれがあるので、片側の木口ごとに交互に固着作業を施していかなければならない。以上のことから、回り縁への野縁の固着作業は、多大な労力、手間および作業時間がかかり、作業コストも高くならざるを得なかったのである。
【０００５】
本発明は、上記した従来の問題点に鑑みてなされたものであって、回り縁への野縁の固着作業を一人の作業員により簡便かつ低コストで行なうことのできる建築用治具および木造建築工法の提供を目的とする。
【課題を解決するための手段】
【０００６】
上記目的を達成するために、本発明に係る建築用治具は、野縁の上面に固着される板状体で主に構成され、第１結合用固着具を挿通するための通し穴が、前記板状体に上下貫通して形成されていることを特徴とするものである。
【０００７】
また、前記構成において、通し穴の穴径は、前記第１結合用固着具が挿通自在に前記通し穴の内壁に保持される寸法に設定されているものである。
【０００８】
そして、前記した各構成において、野縁の上面と係合して前記板状体を固定する回り止め突起が、前記板状体の下面に垂設されているものである。
【０００９】
更に、前記した各構成において、板状体が、可撓性を有する合成樹脂で構成されているものである。
【００１０】
また、本発明に係る木造建築工法は、互いに並行に離間して横設された１対の回り縁間に野縁を架け渡して固定する木造建築工法であって、上記した建築用治具における板状体の先端部が野縁の一方の木口から突出し、且つ、板状体の通し穴が前記一方の木口側の上面に置かれるように、前記板状体が配置される板状体配置工程と、前記野縁の上面に置かれた板状体の通し穴に挿通された第１結合用固着具により、前記板状体が前記野縁の上面に固着される板状体固着工程と、前記野縁の上面に固着された板状体の先端部が一方の回り縁の上面に置かれる板状体載置工程と、前記板状体を置かれた野縁の他方の木口が第２結合用固着具により他方の回り縁の内側面に固着される野縁第１固着工程と、他方の木口が他方の回り縁に固着された野縁の一方の木口が第２結合用固着具により一方の回り縁の内側面に固着される野縁第２固着工程と、を備えて成ることを特徴とするものである。
尚、本明細書において「結合用固定具」とは、木材と木材とを結合する、釘、木ネジ、ビスなどを指す。このことは、特許請求の範囲の記載においても同様である。
【発明の効果】
【００１１】
本発明に係る建築用治具によれば、通し穴に挿通された第１結合用固着具により野縁上面の一方の木口側に固着された板状体が、一方の回り縁の上面に載せられるので、他方の回り縁側に居る作業員一人だけでも回り縁間への野縁の固着作業を簡便かつ低コストで行なうことができる。そして、この建築用治具は極めて小型、軽量であるので安価に入手でき、回り縁間への固着作業後にそのまま残しておいても見た目を損なわず、他の建築材料と接触、干渉することもない。
【００１２】
また、第１結合用固着具が挿通自在に通し穴の内壁に保持される寸法となるように、通し穴の穴径が設定されているものでは、第１結合用固着具がその途中部分まで板状体の通し穴に挿通されると、第１結合用固着具はその位置で放置されても通し穴の内壁に保持されている。その状態で、板状体の先端部を手で持つことにより、第１結合用固着具の先端を野縁の上面の規定固着位置に容易に位置決めでき、そのままの姿勢で第１結合用固着具を扱って板状体を野縁の上面に固着させることができる。
【００１３】
そして、回り止め突起が板状体の下面に垂設されているものでは、第１結合用固着具板状体で建築用治具を野縁の上面に固着する際に、回り止め突起が野縁の上面に食い込んで板状体を固定する。従って、板状体の先端部を回り縁に載せるときでも板状体が回らないから、板状体の先端部を確実に一方の回り縁に載せることができ、これにより一定の作業性を確保することができる。
【００１４】
更に、可撓性を有する合成樹脂で板状体が構成されているものでは、板状体の先端部を一方の回り縁に載せたときに、野縁の上面が一方の回り縁の上面よりも高くなっていたとしても、野縁を手などで押し下げることにより板状体が撓み変形するので、野縁の上面を一方の回り縁の上面と同じ高さに容易に合わせることができる。
【００１５】
また、本発明に係る木造建築工法によれば、板状体配置工程および板状体固着工程で野縁の一方の木口に固着された建築用治具が、他方の回り縁側に居る作業員によって一方の回り縁の上面に仮置きされる。その状態で、作業員は野縁の他方の木口を他方の回り縁の内側面に第２結合用固着具で固着する。その後、作業員は一方の回り縁側に移動し、野縁の一方の木口を一方の回り縁の内側面に第２結合用固着具で固着する。すなわち、作業員一人で、離間した一対の回り縁間に野縁を簡単に架け渡して固着できるのである。
【図面の簡単な説明】
【００１６】
【図１】本発明の一実施形態に係る建築用治具の斜視図である。
【図２】前記建築用治具を示す図であって、（ａ）は平面図、（ｂ）は底面図、（ｃ）は側面図、（ｄ）は背面図である。
【図３】前記建築用治具を用いた木造建築工法の工程手順を示す流れ図である。
【図４】前記木造建築工法における各工程の態様を側面から見た図であって、（ａ）は板状体配置工程の態様図、（ｂ）は板状体固着工程の態様図、（ｃ）は板状体載置工程の態様図、（ｄ）は野縁第１固着工程の態様図、（ｅ）は野縁第２固着工程の態様図である。
【図５】前記木造建築工法により得られた木造構造の要部を示す図であって、（ａ）は平面図、（ｂ）は側面図、（ｃ）は別の建築用治具を用いた例を示す側面図である。
【図６】前記木造建築工法により得られた木造構造の全体を示す平面構成図である。
【図７】従来一般の木造構造を示す平面構成図である。
【発明を実施するための形態】
【００１７】
本発明の実施形態を図面に基づいて説明する。尚、以下に述べる実施形態は本発明を具体化した一例に過ぎず、本発明の技術的範囲を限定するものでない。図１は本発明の一実施形態に係る建築用治具の斜視図、図２は前記建築用治具を示す図であって、（ａ）は平面図、（ｂ）は底面図、（ｃ）は側面図、（ｄ）は背面図である。但し、図７に示した従来の木造構造に用いられるものと同一の構成要素には、同一の符号を付すとともにその詳細な説明を省略することがある。
各図において、この実施形態に係る建築用治具１は、野縁１０の上面１０Ｂに載置されて固着される板状体２で主に構成されている。板状体２は、先端部２Ａ側の厚さが末端部２Ｂ側の厚さＴ１よりも比較的薄くなるように形成されている。この建築用治具１は、例えば長さＬ１が３０ｍｍ、最大幅Ｌ２が８ｍｍ、最大厚さＴ１が４ｍｍ、重さが１ｇ弱といったように、非常に小型、軽量のものである。
【００１８】
前記の板状体２の末端部２Ｂ寄りには、釘５（第１結合用固着具の例）を挿通するための通し穴３が板状体２の上面２Ｃから下面２Ｄにわたり上下貫通して形成されている。ここで使用される釘５は、例えば胴長Ｔ２が２４ｍｍ、外径φ２が２ｍｍ強である。また、通し穴３の穴径φ１は例えば２ｍｍである。板状体２は、可撓性を有する例えばＡＢＳ合成樹脂で構成されている。但し、本発明の板状体は、一定の強度を有するものであれば材質に拘るものでなく、例えば金属板、堅い薄木片、セラミック板なども使用可能である。そして、板状体２における末端部２Ｂの下面２Ｄには、板状体２の回転を阻止するための回り止め突起４が垂設されている。前記の通し穴３の穴径φ１は、釘５が挿通自在に通し穴３の内壁３Ａに保持される寸法に設定されている。すなわち、板状体２の通し穴３に通された釘５は、何も力を加えられなければ、内壁３Ａに保持されてその位置で留まっている（図２（ｃ）参照）。
【００１９】
引き続き、上記のように構成された建築用治具１を用いて木造構造を構築する木造建築工法を、図３および図４を主に用いて説明する。
この実施形態に係る木造建築工法は、互いに並行に離間して横設された１対の回り縁１１，１２間に野縁１０を架け渡して固定するものである。ここで用いる野縁１０は、例えば一辺長Ｔ３が３５ｍｍの垂木を使用している。そして、この実施形態の木造建築工法は、例えば板状体配置工程Ｐ１、板状体固着工程Ｐ２、板状体載置工程Ｐ３、野縁第１固着工程Ｐ４、および野縁第２固着工程Ｐ５から構成されている。
先ず、図３において、板状体配置工程Ｐ１では、図４（ａ）に示すように、建築用治具１における板状体２の先端部２Ａが野縁１０の一方の木口１０Ａ１から突出し、且つ、板状体２の通し穴３が一方の木口１０Ａ１側の上面１０Ｂに置かれるように、板状体１が配置される。
【００２０】
次の板状体固着工程Ｐ２では、図４（ｂ）に示すように、板状体配置工程Ｐ１で野縁１０の上面１０Ｂに置かれた板状体２の通し穴３に挿通された釘５により、板状体２が野縁１０の上面１０Ｂに固着される。このとき、回り止め突起４は野縁１０の上面１０Ｂに埋まり込んで係合し板状体２の回転を阻止する。
尚、この板状体固着工程Ｐ２に先立って、図２（ｃ）に示すように、建築用治具１の通し穴３に釘５を途中まで差し込んでおく。このように、釘５が通し穴３内に留まっていると、その状態の板状体２の先端部２Ａを片手で持つことができる。引き続き、釘５の先端を野縁１０の上面１０Ｂの規定釘打ち位置に位置決めしたのちに、他方の手にした金槌などで釘５を打ち込むようにすると、極めて簡単かつ正確な位置に建築用治具１を固着させることができる。
【００２１】
続く板状体載置工程Ｐ３では、図４（ｃ）に示すように、板状体固着工程Ｐ２で野縁１０の上面１０Ｂに固着された板状体２の先端部２Ａが、一方の回り縁１１の上面１１Ｂの規定固着位置に置かれる。
【００２２】
そして、野縁第１固着工程Ｐ４では、図４（ｄ）に示すように、板状体載置工程Ｐ３で板状体２を置かれた野縁１０の他方の木口１０Ａ２が、これと対面する他方の回り縁１２の内側面１２Ａに当接される。このとき、野縁１０の上面１０Ｂが回り縁１２の上面１２Ｂと面一となるように、木口１０Ａ２の高さが手で調節されながら野縁１０がビス６，６（第２結合用固着具の例）により回り縁１２に固着される。
【００２３】
更に、野縁第２固着工程Ｐ５では、作業者が回り縁１１側に移動したのち、図４（ｅ）に示すように、野縁第１固着工程Ｐ４で処理された野縁１０の一方の木口１０Ａ１が、これと対面する一方の回り縁１１の内側面１１Ａに、ビス６，６（第２結合用固着具の例）によって固着される。これにより、各々の野縁１０の両方の木口１０Ａ１，１０Ａ２が回り縁１１，１２の内側面１１Ａ，１２Ａにそれぞれ固着される。このようにして、図５（ａ），（ｂ）および図６に示すような木造構造２０がほぼでき上がる。そして、図７で示した木造構造５０と同様に、木造構造２０の下面に天井板１８が貼り付けられる。
【００２４】
上記したように、この実施形態に係る建築用治具１およびこれを用いた木造建築工法によれば、一人の作業員だけで野縁１０の懸架・固着作業を確実に行なうことができる。この作業は、極めて簡単かつ迅速に効率よく行なえる。一方で、建築用治具１は極めて小型・軽量であるので、安価に入手でき、そのまま野縁１０上に残しておいても見た目を損なわず、他の建築材料と接触したり干渉したりすることもない。
【００２５】
尚、上記では、板状体配置工程Ｐ１、板状体固着工程Ｐ２、板状体載置工程Ｐ３、野縁第１固着工程Ｐ４、および野縁第２固着工程Ｐ５を、当該順で順次実行したが、本発明はそれに限定されない。例えば、図３中の一点鎖線Ｑ１で示すように、建築用治具１を野縁１０に固着させたものを予め複数用意しておき、それぞれを工程Ｐ３〜Ｐ５で順次用いるようにすることも可能である。あるいは、図３中の一点鎖線Ｑ２で示すように、建築用治具１を野縁１０に固着させたものを予め複数用意しておき、一方の回り縁１１の上面１１Ｂに全ての建築用治具１，１，１，・・・の先端部２Ａ，２Ａ，２Ａ，・・・を仮置きして他方の回り縁１２に野縁１０，１０，１０，・・・の他端側をビス止めし、その後まとめて野縁１０，１０，１０，・・・の他端側を回り縁１１にビス止めするようにしても構わない。
【００２６】
ところで、図５（ｃ）に示すように、別の野縁１０を適宜間隔でいくつかに切断して得られた短片１０Ｚを、建築用治具１に替えて用いることも可能である。しかしながら、使用される釘５ａ（第1結合用固着具の例）は、野縁１０の厚さＴ３以上の長さＴ４（例えば５５ｍｍ程度）のものでなければならないので、短片１０Ｚおよび野縁１０への打ち込みが難しくなり大きな力も必要とする。また、建築現場で野縁１０を切って複数の短片１０Ｚを得る切断作業には手間と時間を要する。更に、建築用治具１と比べると短片１０Ｚは嵩が大きいので、そのまま残した場合は、見栄えが芳しくなく、他の建築材料と接触したり干渉したりするおそれがある。
【００２７】
尚、上記の実施形態では、下面２Ｄが側面視直線状の平面に形成された板状体２を有する建築用治具１を例示したが、本発明はそれに限定されるものでない。例えば、図４（ｂ）に示すような建築用治具１ａも、本発明に含まれる。この建築用治具１ａでは、板状体２の先端部２Ａ１が下向きに湾曲しているので、野縁１０が固着された板状体２の先端部２Ａ１を、回り縁１１の上面１１Ｂに載せる場合に、野縁１０の上面１０Ｂが回り縁１１の上面１１Ｂよりも高くなると考えられる。しかしながら、板状体２は野縁１０の重量により先端部２Ａ１が矢印Ｕのように撓み変形して直線状に伸びるので、野縁１０の上面１０Ｂは回り縁１１の上面１１Ｂとほぼ同じ高さになる。更には、野縁１０の上面１０Ｂが回り縁１１の上面１１Ｂよりも高くなっていた場合でも、合成樹脂製の建築用治具１ａは撓み性を有しているので、野縁１０を手などで下向きに押し下げることにより、野縁１０の上面１０Ｂを回り縁１１の上面１１Ｂと同じ高さにすることができる。
【００２８】
そして、上記では、第１結合用固着具として釘５を例示し、第２結合用固着具としてビス６を例示したが、本発明はそれらに限定されない。第１結合用固着具として、例えばビスや木ネジなどを用いてよく、第２結合用固着具として、例えば釘、木ネジ、Ｌ字状固定金具などを用いることも可能である。
また、上記では、板状体２、通し穴３、釘５、野縁１０などについて寸法や重量を記しているが、これらはあくまでも例示であり、これらの寸法などによって本発明が限定されないことは言うまでもない。
【符号の説明】
【００２９】
１  建築用治具
２  板状体
２Ａ  先端部
２Ｃ  上面
２Ｄ  下面
３  通し穴
３Ａ  内壁
４  回り止め突起
５，５ａ  釘（第１結合用固着具）
６  ビス（第２結合用固着具）
１０  野縁
１０Ａ１，１０Ａ２  木口
１０Ｂ  上面
１０Ｚ  短片
１１，１２  回り縁
１１Ａ，１２Ａ  内側面
１１Ｂ，１２Ｂ  上面
２０  木造構造
Ｐ１  板状体配置工程
Ｐ２  板状体固着工程
Ｐ３  板状体載置工程
Ｐ４  野縁第１固着工程
Ｐ５  野縁第２固着工程
φ１  穴径
φ２  外径
【図１】
2016223090.tif 000003
【図２】
2016223090.tif 000004
【図３】
2016223090.tif 000005
【図４】
2016223090.tif 000006
【図５】
2016223090.tif 000007
【図６】
2016223090.tif 000008
【図７】
2016223090.tif 000009